(57)【要約】【課題】外部表示装置を用いることなく何時何処ででも情報の拡張表示が可能な通信端末装置を提供する。【解決手段】装置本体の表示部１０４とは別個に、表示部１０４と同一か又はそれ以上の大きさに形成した電子ペーパー部１００と、この電子ペーパー部１００を装置本体に格納するスリット部１２０と、電子ペーパー部１００の種類を認識するための表示エリア情報及びカラー情報を記憶する記憶部１０１とを備える。これにより、外部表示装置を用いることなく表示エリアを拡張することが可能となる。【選択図】　　　図１
2004032196.tif 000002
【特許請求の範囲】
【請求項１】
装置本体の表示器とは別個に設けられ、少なくとも前記表示器と同一の大きさに形成された拡張表示手段と、前記装置本体に形成され前記拡張表示手段を収納する収納空間と、を具備することを特徴とする通信端末装置。
【請求項２】
前記拡張表示手段は、フィルム状に形成された液晶シートであり、前記収納空間は、スリット状に形成されたことを特徴とする請求項１記載の通信端末装置。
【請求項３】
表示エリア情報及びカラー情報を記憶する記憶手段と、前記記憶手段を参照することで装置本体に取り付けられた前記拡張表示手段の種類を判定し、この判定結果に基づいて前記拡張表示手段に対して適切な表示制御を行う表示制御手段と、を具備することを特徴とする請求項１又は請求項２記載の通信端末装置。
【請求項４】
前記拡張表示手段が前記収納空間から外に引き出されたことを検出する検出手段を具備し、前記表示制御手段は、前記検出手段にて前記拡張表示手段が前記収納空間から外に引き出されたことが検出されると前記拡張表示手段に対する表示制御を行うことを特徴とする請求項３記載の通信端末装置。
【請求項５】
前記検出手段にて前記拡張表示手段が前記収納空間から外に引き出されたことが検出されているときに電子メイルや着信があると前記拡張表示手段に電子メイルや着信を知らせる表示を行う着信報知手段を具備することを特徴とする請求項４記載の通信端末装置。
【請求項６】
前記装置本体の表示器上に積層され、透過性を有する板状又はフィルム状に形成された感圧検知手段と、前記感圧検知手段による感圧検知に基づいて文字認識を行う文字認識手段とを具備し、前記表示制御手段は、前記文字認識手段にて認識された文字を前記拡張表示手段に表示することを特徴とする請求項３から請求項５のいずれかに記載の通信端末装置。
【請求項７】
前記検出手段にて前記拡張表示手段が前記収納空間から外に引き出されたことが検出されると通信機能の電源をオフし、前記拡張表示手段の前記収納空間からの引き出しが検出されなくなると前記通信機能の電源をオンする通信機能制限手段を具備することを特徴とする請求項４から請求項６のいずれかに記載の通信端末装置。
【発明の詳細な説明】
【０００１】
【発明の属する技術分野】
本発明は、携帯電話やＰＨＳ（Ｐｅｒｓｏｎａｌ　Ｈａｎｄｙ−Ｐｈｏｎｅ　Ｓｙｓｔｅｍ）等の通信端末装置に関する。
【０００２】
【従来の技術】
従来、特開平９−２３７１４５号公報で開示されている通信端末装置は、赤外線送受信部を備え、赤外線受信部を備えた外部表示装置（テレビジョン受信機等）に向けてデータを送信することで、情報を表示する表示エリアの拡張を行うようにしている。
【０００３】
【発明が解決しようとする課題】
しかしながら、従来の通信端末装置においては、情報を表示する表示エリアを拡張するためには外部表示装置を用いなければならず、また外部表示装置でも通信端末装置からのデータを受信できるデータ受信部を備えたものでなければならないので、何時何処ででも情報を拡大して表示することが困難であるという問題がある。
【０００４】
本発明は係る点に鑑みてなされたものであり、外部表示装置を用いることなく何時何処ででも情報の拡張表示が可能な通信端末装置を提供することを目的とする。
【０００５】
【課題を解決するための手段】
請求項１に係る発明の通信端末装置は、装置本体の表示器とは別個に設けられ、少なくとも前記表示器と同一の大きさに形成された拡張表示手段と、前記装置本体に形成され前記拡張表示手段を収納する収納空間と、を具備する構成を採る。
【０００６】
この構成によれば、装置本体の表示器とは別個の拡張表示手段を有しているので、外部表示装置を用いることなく何時何処ででも情報の拡張表示が可能となる。
【０００７】
請求項２に係る通信端末装置は、請求項１に係る発明の通信端末装置において、前記拡張表示手段は、フィルム状に形成された液晶シートであり、前記収納空間は、スリット状に形成された構成を採る。
【０００８】
この構成によれば、拡張表示手段の形状をフィルム状とし、装置本体の収納形状をスリット状としたので、拡張表示手段を設けることによる通信端末装置の形状の大型化を最小限に抑えることができる。なお、液晶シートである拡張表示手段は、白黒表示のディスプレイであってもカラー表示のディスプレイのいずれでも可能である。また、拡張表示手段として様々な大きさのものを選択することで、拡張表示エリアの大きさを用途に応じて任意に変更することができる。
【０００９】
請求項３に係る発明の通信端末装置は、請求項１又は請求項２に係る発明の通信端末装置において、表示エリア情報及びカラー情報を記憶する記憶手段と、前記記憶手段を参照することで装置本体に取り付けられた前記拡張表示手段の種類を判定し、この判定結果に基づいて前記拡張表示手段に対して適切な表示制御を行う表示制御手段と、を具備する構成を採る。
【００１０】
この構成によれば、装置本体に装着した拡張表示手段の種類を認識することができるので、拡張表示手段に対する表示を適切に行うことが可能となる。即ち、使用する拡張表示手段を変更する毎にユーザが手動で調整する必要がない。
【００１１】
請求項４に係る発明の通信端末装置は、請求項３に係る発明の通信端末装置において、前記拡張表示手段が前記収納空間から外に引き出されたことを検出する検出手段を具備し、前記表示制御手段は、前記検出手段にて前記拡張表示手段が前記収納空間から外に引き出されたことが検出されると前記拡張表示手段に対する表示制御を行う構成を採る。
【００１２】
この構成によれば、拡張表示手段が使用状態になると、拡張表示手段に対する表示制御が可能になるので、例えば通信端末装置上の制御キーが拡張表示手段の表示内容を変更できるキーに切り替わり、このキーの操作により、例えば拡張表示手段に表示されている文章の内容を切り替えることや地図を切り替えることが可能となる。
【００１３】
請求項５に係る発明の通信端末装置は、請求項４に係る発明の通信端末装置において、前記検出手段にて前記拡張表示手段が前記収納空間から外に引き出されたことが検出されているときに電子メイルや着信があると前記拡張表示手段に電子メイルや着信を知らせる表示を行う着信報知手段を具備する構成を採る。
【００１４】
この構成によれば、拡張表示手段を使用しているときに、電子メイルや着信があると拡張表示手段に電子メイルや着信を知らせる表示を行うので、ユーザーが拡張表示手段での表示を見ているときに、電子メイルや着信がきたことを知ることができる。
【００１５】
請求項６に係る発明の通信端末装置は、請求項３から請求項５のいずれかに係る発明の通信端末装置において、前記装置本体の表示器上に積層され、透過性を有する板状又はフィルム状に形成された感圧検知手段と、前記感圧検知手段による感圧検知に基づいて文字認識を行う文字認識手段とを具備し、前記表示制御手段は、前記文字認識手段にて認識された文字を前記拡張表示手段に表示する構成を採る。
【００１６】
この構成によれば、通信端末装置の表示器上で文字入力を行うことができるので、煩雑なキー操作を行うことなくペン入力を行うことができる。また、入力した文章が拡張表示手段に表示されるので、大きな文字にて文章を確認することができる。
【００１７】
請求項７に係る発明の通信端末装置は、請求項４から請求項６のいずれかに係る通信端末装置において、前記検出手段にて前記拡張表示手段が前記収納空間から外に引き出されたことが検出されると通信機能の電源をオフし、前記拡張表示手段の前記収納空間からの引き出しが検出されなくなると前記通信機能の電源をオンする通信機能制限手段を具備する構成を採る。
【００１８】
この構成によれば、拡張表示手段を使用しているときには通信機能の電源をオフするので、通信端末装置の省電力化が図れる。
【００１９】
【発明の実施の形態】
本発明の骨子は、装置本体の表示器とは別個に拡張表示手段を設けることで、外部表示装置を用いることなく何時何処ででも情報の拡張表示を可能とすることである。
【００２０】
以下、本発明の実施の形態について、図面を用いて詳細に説明する。
（実施の形態１）
図１は本発明の実施の形態１に係る通信端末装置の構成を示すブロックである。また、図２は本実施の形態に係る通信端末装置の外観を示す斜視図である。また、図３の（ａ）は本実施の形態に係る通信端末装置の電子ペーパー部を示す正面図であり、（ｂ）はその上面図である。
【００２１】
図１において、本実施の形態に係る通信端末装置は、電子ペーパー部１００と、記憶部１０１と、表示制御部１０２と、電子ペーパー部使用状態検知部１０３と、表示部１０４と、筆圧センサ部１０５と、文字認識部１０６と、キー入力部１０７と、無線部１０８と、制御部１０９とを備えて構成される。
【００２２】
なお、電子ペーパー部１００は拡張表示手段に対応する。また、記憶部１０１は記憶手段に対応する。また、表示制御部１０２は表示制御手段に対応する。また、筆圧センサ部１０５は感圧検知手段に対応する。また、文字認識部１０６は文字認識手段に対応する。また、制御部１０９は検出手段と着信報知手段と通信機能制限手段夫々に対応する。
【００２３】
電子ペーパー部１００は、表示部１０４で表示可能な表示エリアの拡張を図ったものであり、図３に示すようにフィルム状の液晶シート（ＴＦＴ（Ｔｈｉｎ　Ｆｉｌｍ　Ｔｒａｎｓｉｓｔｏｒ）等）３００と、液晶シート３００を装置本体に接続して装置本体からの電源や制御信号を供給するためのコネクタ３０１と、コネクタ３０１の上端部及び下端部夫々に設けられ、軸方向に伸縮自在となったフック３０２とを備えて構成される。
【００２４】
電子ペーパー部１００は、表示部１０４以上の大きさに形成されている。なお、表示部１０４と同一の大きさであっても構わない。要するに最低でも表示部１０４と同一の大きさであれば良い。フック３０２は電子ペーパー部１００を装置に固定するものである。電子ペーパー部１００は、図２に示すように装置本体の側面部に形成されたスリット部１２０（収納空間）内に引き出し可能に収納される。
【００２５】
スリット部１２０内には、電子ペーパー部１００を収納したときに、電子ペーパー部１００がスリット部１２０内から容易に飛び出さないようにフック３０２を係止する電子ペーパー部着脱機構（図示略）が設けられており、装置本体上部に設けられた取外用ボタン１２１（図２参照）を押下することで、フック３０２が同機構から外れて電子ペーパー部１００を取り外すことが可能となる。
【００２６】
図１に戻り、記憶部１０１は、電子ペーパー部１００の表示エリア及びカラータイプの情報を記憶するものであり、上記したコネクタ３０１に設けられる。表示制御部１０２は、記憶部１０１に記憶された格納された表示エリア及びカラータイプの情報を参照することで電子ペーパー部１００の種類を判定し、この判定結果に基づいて電子ペーパー部１００に対して適切な表示制御を行う。
【００２７】
電子ペーパー部使用状態検知部１０３は、電子ペーパー部１００の使用状態を検知するものであり、電子ペーパー部１００をスリット部１２０から引き出すことで使用状態を示す信号を出力し、スリット部１２０に収納することで非使用状態を示す信号を出力する。この場合、電子ペーパー部使用状態検知部１０３によって電子ペーパー部１００のスリット部１２０からの引き出しが検出されると、表示制御部１０２は電子ペーパー部１００に対する表示制御を行う。
【００２８】
表示部１０４は、図２に示すように液晶パネル１０４Ａを有している。液晶パネル１０４Ａは装置本体の操作面に設けられ、通信端末装置の動作における各種表示を行う。筆圧センサ部１０５は、圧力を感知する感圧シート１０５Ａ（図２参照）と圧力を感知した位置情報を出力する位置情報出力部（図示略）とを有して構成される。感圧シート１０５Ａは表示部１０４の液晶パネル１０４Ａ上に積層される。文字認識部１０６は、筆圧センサ部１０５からの位置情報に基づいて文字認識を行う。この場合、文字認識部１０６で認識された文字は表示制御部１０２によって電子ペーパー部１００に表示される。すなわち、感圧シート１０５Ａ上をなぞるようにして文字を書くことで、認識された文字が電子ペーパー部１００上に表示される。
【００２９】
キー入力部１０７は、図２に示すようにテンキー１０７Ａと、矢印キー１０７Ｂとを有している。テンキー１０７Ａの＃キーは、スリット部１２０から電子ペーパー部１００が引き出されることで（即ち電子ペーパー部１００が使用状態になることで）、電子ペーパー部１００の表示と表示部１０４の表示の切り替えを行うキーとなる。この＃キーを繰り返し押す毎に、電子ペーパー部１００の表示と表示部１０４の表示が交互に切り替わる。矢印キー１０７Ｂは、電子ペーパー部１００が使用状態にあるときにはページ切り替えキーとなる。また、テンキーの数字キーは、ページの変更を行うキーとなる。
【００３０】
無線部１０８はデータの送受信を行う。制御部１０９は、図示せぬＣＰＵ（中央処理装置）と、ＣＰＵを制御するためのプログラムが書き込まれたＲＯＭと、ＣＰＵの動作に使用されるＲＡＭ等を有して構成され、装置各部を制御する。
【００３１】
このように構成された通信端末装置について、その動作を説明する。
電子ペーパー部１００にて拡張表示を行いたい場合は、装置本体のスリット部１２０から電子ペーパー部１００を引き出す。スリット部１２０から電子ペーパー部１００を引き出すことで、その状態が電子ぺーパー使用状態検知部１０３にて検知される。
【００３２】
電子ペーパー部１００の引き出しが検知された状態で、テンキー１０７Ａの＃キーが押下されると、制御部１０９は記憶部１０１に記憶されている電子ペーパー部１００の表示エリア及びカラータイプの情報を読み出して表示制御部１０２に与える。表示制御部１０２は、制御部１０９より与えられた電子ペーパー部１００の表示エリア及びカラータイプの情報を得て電子ペーパー部１００にて情報表示を行う。
【００３３】
電子ペーパー部１００にて文章の情報表示を行っているときに、ユーザがキー入力部１０７の矢印キー１０７Ｂを操作すると、制御部１０９はその操作に応じてページの切り替えを行う。また、制御部１０９は、テンキー１０７Ａの数字キーが操作されたときには、その操作に応じてページの変更を行う。また、テンキー１０７Ａの＃キーが操作された場合には電子ペーパー部１００での表示と通常の表示部１０４での表示の切り替えを行う。
【００３４】
ユーザが電子ペーパー部１００にてメイルなどの文章入力を行う場合、筆圧センサ部１０８からの経時的に変化する位置情報が文字認識部１０６に与えられて文字認識が行われ、その結果が表示制御部１０２に与えられて電子ペーパー部１００上に表示される。
【００３５】
電子ペーパー部１００を使用中に電子メイルや着信があると、制御部１０９は、表示制御部１０２に対して電子メイルや着信を知らせる指令を与える。表示制御部１０２はこの指示を受けると、電子ペーパー部１００の一部に電子メイルや着信を知らせるアイコンを表示してユーザに知らせる。制御部１０９は、電子ペーパー部１００が使用中の場合には無線部１０８の電源をオフし、未使用になると無線部１０８の電源をオンして省電力化を図る。
【００３６】
このように本実施の形態の通信端末装置によれば、装置本体の表示部１０４とは別個に表示部１０４と同一か又はそれ以上の大きさに形成した電子ペーパー部１００を有するとともに、この電子ペーパー部１００を装置本体に格納するスリット部１２０と電子ペーパー部１００の種類を認識するための表示エリア情報及びカラー情報を記憶する記憶部１０１とを有するので、外部表示装置を用いることなく表示エリアを拡張することが可能となる。また、電子ペーパー部１００を使用しているときには無線部１０８の電源をオフするので、省電力化が図れる。また、筆圧センサ部１０５及び筆圧センサ部１０５の出力から文字認識する文字認識部１０６を備えているので、ペン入力を用いた文字入力が可能となる。
【００３７】
（実施の形態２）
図４及び図５は本発明の実施の形態２に係る通信端末装置の外観を示す斜視図である。また、図６及び図７は本実施の形態に係る通信端末装置の電子ペーパー部１００とその周辺部材を示す斜視図である。なお、これらの図において前述した本発明の実施の形態１の図２及び図３と共通する部分には同一の符号を付けてその説明を省略する。
【００３８】
本実施の形態の通信端末装置は、電子ペーパー部１００を装置本体に対して外付けするタイプのものであり、電子ペーパー部１００を収納する収納ケース部４００（図４参照）と、収納ケース部４００を装置本体に固定するための収納ケース固定部４０１（図５参照）と、電子ペーパー部１００の液晶シート３００を巻き取り収納するための電子ペーパー収納軸部４０２（図６参照）と、収納ケース固定部４０１に掛けて固定するための収納ケースフック部４０３（図６参照）とを備えている。
【００３９】
なお、図６の斜視図は電子ペーパー部１００の液晶シート３００の非格納時を示しており、図７の斜視図は電子ペーパー部１００の液晶シート３００の格納時を示している。
【００４０】
このように構成された通信端末装置について、その動作を説明する。
まず、電子ペーパー収納軸４０２を回転させることにより電子ペーパー部１００の液晶シート３００を収納ケース部４００に収納することができる。電子ペーパー部１００を通信端末装置に接続する場合にはスリット部１２０に電子ペーパー部１００のコネクタ３０１を挿入した後、収納ケースフック部４０３を端末装置上の収納ケース固定部４０１に掛止させる。
【００４１】
このように、本実施の形態の通信端末装置によれば、電子ペーパー部１００を収納できる収納ケース部４００と、電子ペーパー部１００の液晶シート３００を巻き取ることのできる電子ペーパー収納軸部４０２と、収納ケース部４００を固定するための収納ケース固定部４０１と、収納ケースフック部４０３とを備えたので、電子ペーパー部１００横幅のサイズを通信端末装置の横幅のサイズに制限されることなく、表示エリアを増やすことができる。
【００４２】
【発明の効果】
このように本発明によれば、装置本体の表示手段とは別個に、表示手段と同一か又はそれ以上の大きさに形成した拡張表示手段を備えるとともに、この拡張表示手段を装置本体に格納する収納部と拡張表示手段の種類を認識するための表示エリア情報及びカラー情報を記憶する記憶手段とを備えたので、外部表示装置を用いることなく表示エリアを拡張することが可能となる。
【図面の簡単な説明】
【図１】本発明の実施の形態１に係る通信端末装置の構成を示すブロック図
【図２】本発明の実施の形態１に係る通信端末装置の外観を示す斜視図
【図３】本発明の実施の形態１に係る通信端末装置の電子ペーパー部を示す図
【図４】本発明の実施の形態２に係る通信端末装置の外観を示す斜視図
【図５】本発明の実施の形態２に係る通信端末装置の外観を示す斜視図
【図６】本発明の実施の形態２に係る通信端末装置の電子ペーパー部を示す斜視図
【図７】本発明の実施の形態２に係る通信端末装置の電子ペーパー部を示す斜視図
【符号の説明】
１００　電子ペーパー部
１０１　記憶部
１０２　表示制御部
１０３　電子ペーパー部使用状態検知部
１０４　表示部
１０５　筆圧センサ部
１０６　文字認識部
１０７　キー入力部
１０８　無線部
１０９　制御部
１２０　スリット部
１２１　取外用ボタン
３００　液晶シート
３０１　コネクタ
３０２　フック
４００　収納ケース部
４０１　収納ケース固定部
４０２　電子ペーパー収納軸部
４０３　収納ケースフック部
【図１】
2004032196.tif 000003
【図２】
2004032196.tif 000004
【図３】
2004032196.tif 000005
【図４】
2004032196.tif 000006
【図５】
2004032196.tif 000007
【図６】
2004032196.tif 000008
【図７】
2004032196.tif 000009